(57)【要約】【課題】部材の設置順序に自由度を持たせることができる屋根構造及びケラバ水切役物を提供する。【解決手段】本発明による屋根構造は、野地板１と、野地板１の妻側の上面に固定された角柱状ののぼり木３と、のぼり木３を覆うためのケラバ水切役物６とを備え、ケラバ水切役物６は、野地板１に重ねられるとともにのぼり木３の反妻側の側面３ａを覆うための水切部材６１と、のぼり木３の妻側の側面３ｂ及び上面３ｃを覆うためのケラバ部材６２とを有し、水切部材６１は、野地板１上に載置されるための載置片６１１と、のぼり木３の反妻側の側面３ａに沿うように載置片６１１の妻側端部から起立された起立片６１２と、起立片６１２の上端部から反妻側に延出された上片６１３と、上片６１３の反妻側端部から下垂された下垂片６１４とを有し、ケラバ部材６２は、のぼり木３の上面３ｃ及び水切部材６１の上片６１３を覆うための天板６１２と、天板６１２の反妻側端部から下垂されて水切部材６１の下垂片６１４を覆うための被覆片６２２とを有している。【選択図】図１
2020159036.tif 000002
【特許請求の範囲】
【請求項１】
野地板と、
前記野地板の妻側の上面に固定された角柱状ののぼり木と、
前記のぼり木を覆うためのケラバ水切役物と
を備え、
前記ケラバ水切役物は、
前記野地板に重ねられるとともに前記のぼり木の反妻側の側面を覆うための水切部材と、
前記のぼり木の妻側の側面及び上面を覆うためのケラバ部材と
を有し、
前記水切部材は、前記野地板上に載置されるための載置片と、前記のぼり木の反妻側の側面に沿うように前記載置片の妻側端部から起立された起立片と、前記起立片の上端部から反妻側に延出された上片と、前記上片の反妻側端部から下垂された下垂片とを有し、
前記ケラバ部材は、前記のぼり木の上面及び前記水切部材の前記上片を覆うための天板と、前記天板の反妻側端部から下垂されて前記水切部材の前記下垂片を覆うための被覆片とを有している、
屋根構造。
【請求項２】
野地板の妻側の上面に固定された角柱状ののぼり木を覆うためのケラバ水切役物であって、
前記野地板に重ねられるとともに前記のぼり木の反妻側の側面を覆うための水切部材と、
前記のぼり木の妻側の側面及び上面を覆うためのケラバ部材と
を有し、
前記水切部材は、前記野地板上に載置されるための載置片と、前記のぼり木の反妻側の側面に沿うように前記載置片の妻側端部から起立された起立片と、前記起立片の上端部から反妻側に延出された上片と、前記上片の反妻側端部から下垂された下垂片とを有し、
前記ケラバ部材は、前記のぼり木の上面及び前記水切部材の前記上片を覆うための天板と、前記天板の反妻側端部から下垂されて前記水切部材の前記下垂片を覆うための被覆片とを有している、
ケラバ水切役物。
【発明の詳細な説明】
【技術分野】
【０００１】
本発明は、野地板の妻側の上面に固定された角柱状ののぼり木を役物により覆い隠す屋根構造及びケラバ水切役物に関する。
【背景技術】
【０００２】
従来用いられていたこの種の屋根構造としては、例えば下記の特許文献１等に示されている構成を挙げることができる。すなわち、従来構成では、野地板の妻側の上面に角柱状ののぼり木が固定されており、ケラバ水切役物によりのぼり木を覆っている。ケラバ水切役物は、水切部材とケラバ部材とを有している。水切部材は、のぼり木の上面及び野地板に重ねられている。ケラバ部材は、のぼり木の妻側を覆うとともに、水切部材の上からのぼり木の上面を覆っている。
【先行技術文献】
【特許文献】
【０００３】
【特許文献１】特開２０１８−３１２４０号公報
【発明の概要】
【発明が解決しようとする課題】
【０００４】
ビス等の緊結部材を水切部材に打ち込むと水漏れが生じる虞がある。上記のような従来構成では、のぼり木の上面に水切部材が重ねられ、その水切部材の上からのぼり木の上面をケラバ部材が覆っているので、野地板にのぼり木を固定した後にしか水切部材を設置することができない。すなわち、従来構成では、部材の設置順序に制約が生じている。
【０００５】
本発明は、上記のような課題を解決するためになされたものであり、その目的は、部材の設置順序に自由度を持たせることができる屋根構造及びケラバ水切役物を提供することである。
【課題を解決するための手段】
【０００６】
本発明に係る屋根構造は、野地板と、野地板の妻側の上面に固定された角柱状ののぼり木と、のぼり木を覆うためのケラバ水切役物とを備え、ケラバ水切役物は、野地板に重ねられるとともにのぼり木の反妻側の側面を覆うための水切部材と、のぼり木の妻側の側面及び上面を覆うためのケラバ部材とを有し、水切部材は、野地板上に載置されるための載置片と、のぼり木の反妻側の側面に沿うように載置片の妻側端部から起立された起立片と、起立片の上端部から反妻側に延出された上片と、上片の反妻側端部から下垂された下垂片とを有し、ケラバ部材は、のぼり木の上面及び水切部材の上片を覆うための天板と、天板の反妻側端部から下垂されて水切部材の下垂片を覆うための被覆片とを有している。
【０００７】
本発明に係るケラバ水切役物は、野地板の妻側の上面に固定された角柱状ののぼり木を覆うためのケラバ水切役物であって、野地板に重ねられるとともにのぼり木の反妻側の側面を覆うための水切部材と、のぼり木の妻側の側面及び上面を覆うためのケラバ部材と有し、水切部材は、野地板上に載置されるための載置片と、のぼり木の反妻側の側面に沿うように載置片の妻側端部から起立された起立片と、起立片の上端部から反妻側に延出された上片と、上片の反妻側端部から下垂された下垂片とを有し、ケラバ部材は、のぼり木の上面及び水切部材の上片を覆うための天板と、天板の反妻側端部から下垂されて水切部材の下垂片を覆うための被覆片とを有している。
【発明の効果】
【０００８】
本発明の屋根構造及びケラバ水切役物によれば、水切部材は、載置片の妻側端部から起立された起立片と、起立片の上端部から反妻側に延出された上片と、上片の反妻側端部から下垂された下垂片とを有し、ケラバ部材は、のぼり木の上面及び水切部材の上片を覆うための天板と、天板の反妻側端部から下垂されて水切部材の下垂片を覆うための被覆片とを有しているので、水切部材がのぼり木の上面を覆わない。このため、野地板にのぼり木を固定する前であっても水切部材を設置でき、部材の設置順序に自由度を持たせることができる。
【図面の簡単な説明】
【０００９】
【図１】本発明の実施の形態１による屋根構造を示す正面図である。
【発明を実施するための形態】
【００１０】
以下、本発明を実施するための形態について、図面を参照して説明する。本発明は各実施の形態に限定されるものではなく、その要旨を逸脱しない範囲で構成要素を変形して具体化できる。また、各実施形態に開示されている複数の構成要素の適宜な組み合わせにより、種々の発明を形成できる。例えば、実施の形態に示される全構成要素からいくつかの構成要素を削除してもよい。さらに、異なる実施形態の構成要素を適宜組み合わせてもよい。
【００１１】
実施の形態１．
図１は、本発明の実施の形態１による屋根構造を示す正面図である。図１に示すように、本実施の形態の屋根構造には、野地板１、屋根材２、のぼり木３、垂木４、緊結部材５、ケラバ水切役物６および破風板７が含まれている。
【００１２】
野地板１は、建物の上部に配置された板体である。野地板１の上にルーフィング１ａが敷かれるとともに、そのルーフィング１ａの上に複数の屋根材２が配置される。屋根材２には、瓦若しくはスレート等の窯業系屋根材及び金属屋根材が含まれる。
【００１３】
のぼり木３は、野地板１の妻側の上面に固定された角柱状の部材である。妻側とは、屋根の軒方向にかかる屋根の端部側を意味する。のぼり木３は、屋根の軒端と棟端との間で軒棟方向に延在されている。
【００１４】
垂木４は、野地板１の下部に配置された角柱状の部材である。破風板７は、野地板１の妻側の下部に配置された板状の部材である。垂木４及び破風板７は、のぼり木３と同様に屋根の軒端と棟端との間で軒棟方向に延在されている。
【００１５】
緊結部材５は、例えばビス又は釘等により構成されるものであり、のぼり木３を野地板１に固定している。本実施の形態の緊結部材５は、上方からのぼり木３に打ち込まれており、野地板１を貫通して垂木４まで到達している。換言すると、本実施の形態の緊結部材５は、のぼり木３を野地板１及び垂木４に固定している。
【００１６】
ケラバ水切役物６は、のぼり木３を覆うための部材である。本実施の形態のケラバ水切役物６は、野地板１の妻側端部も覆っている。ケラバ水切役物６は、のぼり木３及び垂木４と同様に、屋根の軒端と棟端との間で軒棟方向に延在されている。
【００１７】
本実施の形態のケラバ水切役物６は、２つの部材に分割されている。すなわち、本実施の形態のケラバ水切役物６には、水切部材６１及びケラバ部材６２が設けられている。
【００１８】
水切部材６１は、野地板１に重ねられるとともにのぼり木３の反妻側の側面３ａを覆うための部材である。水切部材６１は、平板状の載置片６１１と、載置片６１１の妻側端部から起立された起立片６１２と、起立片６１２の上端部から反妻側に延出された上片６１３と、上片６１３の反妻側端部から下垂された下垂片６１４と、下垂片６１４の下端から上方に折り返された折返片６１５とを有している。水切部材６１は、野地板１上に載置片６１１が載置されるとともに、のぼり木３の反妻側の側面３ａに起立片６１２が沿うように配置される。本実施の形態の水切部材６１の起立片６１２、上片６１３及び下垂片６１４は、のぼり木３の上方にかからずにのぼり木３の側部から反妻側に折り返された部分として捉えることもできる。
【００１９】
ケラバ部材６２は、のぼり木３の妻側の側面３ｂ及び上面３ｃを覆うための部材である。ケラバ部材６２は、平板状の天板６２１と、天板６２１の反妻側端部から下垂された被覆片６２２と、被覆片６２２の下端から妻側に延出された下片６２３と、下片６２３の妻側端部から起立された起立片６２４と、起立片６２４の上端から妻側に折り返された第１折返片６２５と、天板６２１の妻側端部から下垂された側片６２６と、側片６２６の下端から上方に折り返された第２折返片６２７とを有している。ケラバ部材６２は、側片６２６がのぼり木３の妻側の側面３ｂを覆い、天板６２１がのぼり木３の上面３ｃ及び水切部材６１の上片６１３を覆うように配置される。また、ケラバ部材６２は、被覆片６２２が水切部材６１の下垂片６１４を覆い、下片６２３が反妻側に向けて水切部材６１の下垂片６１４の下方を通り、起立片６２４及び第１折返片６２５が水切部材６１の起立片６１２、上片６１３及び下垂片６１４で囲まれる空間内に収まるように配置される。水切部材６１の載置片６１１とケラバ部材６２の下片６２３との間の空間に屋根材２が挿入されている。
【００２０】
このような屋根構造及びケラバ水切役物６では、水切部材６１は、載置片６１１の妻側端部から起立された起立片６１２と、起立片６１２の上端部から反妻側に延出された上片６１３と、上片６１３の反妻側端部から下垂された下垂片６１４とを有し、ケラバ部材６２は、のぼり木３の上面及び水切部材６１の上片６１３を覆うための天板６２１と、天板６２１の反妻側端部から下垂されて水切部材６１の下垂片６１４を覆うための被覆片６２２とを有しているので、水切部材６１がのぼり木３の上面３ｃを覆わない。このため、野地板１にのぼり木３を固定する前であっても水切部材６１を設置でき、部材の設置順序に自由度を持たせることができる。
【符号の説明】
【００２１】
１      野地板
２      屋根材
３      のぼり木
６      水切役物
６１    水切部材
６１１  載置片
６１２  起立片
６１２  天板
６１３  上片
６１４  下垂片
６２    ケラバ部材
６２１  天板
６２２  被覆片
【図１】
2020159036.tif 000003